(57)【要約】【課題】収納部材のステータスおよび収納部材内の貨幣の在高を管理することが可能な貨幣処理システムを提供する。【解決手段】本発明の一実施形態に係る貨幣処理システム１は、顧客と店員との間で貨幣をやりとりする店舗１０と、店舗１０内の貨幣を回収するための金庫２２が設置された出納室２０と、店舗１０と出納室２０との間で収納部材４０を搬送するエアシュータ３０とを備え、エアシュータ３０にセットされる収納部材４０から、この収納部材４０を識別するための収納部材識別子を読み取る読取り機１５と、読取り機１５によって読み取られた収納部材識別子を受信し、かつ、この収納部材識別子を含む収納部材情報、および店舗１０を識別するための店舗識別子を送信する制御装置１１と、制御装置１１から店舗識別子および収納部材情報を受信し、かつ、収納部材情報を店舗識別子と関連付けた店舗別収納部材情報を記憶する店舗内在高管理端末２１と、を備える。【選択図】図１
2012216005.tif 000002
【特許請求の範囲】
【請求項１】
顧客と店員との間で貨幣をやりとりする店舗と、前記店舗内の貨幣を回収するための金庫が設置された出納室と、前記店舗と前記出納室との間で収納部材を搬送するエアシュータと、を備える貨幣処理システムであって、
前記エアシュータにセットされる前記収納部材から、前記収納部材を識別するための収納部材識別子を読み取る、第１の読取り機と、
前記第１の読取り機によって読み取られた前記収納部材識別子を用いて前記収納部材識別子を含む収納部材情報を作成し、前記収納部材情報および前記店舗を識別するための店舗識別子を送信する、制御装置と、
前記制御装置から前記店舗識別子および前記収納部材情報を受信し、かつ、前記収納部材情報を前記店舗識別子と関連付けた店舗別収納部材情報を記憶する、店舗内在高管理端末と、
を備えることを特徴とする貨幣処理システム。
【請求項２】
前記エアシュータにセットされた前記収納部材に貨幣を収納する、収納部と、
投入された貨幣の識別を行う識別部を有し、前記識別部により識別された貨幣を前記収納部に投出する識別機と、をさらに備え、
前記制御装置は、ある取引において前記識別機に貨幣が投入されると、前記収納部により前記収納部材に収納された貨幣の金種別在高を用いて、前記収納部材情報を更新し、
前記店舗内在高管理端末は、前記制御装置から受信した前記更新された収納部材情報を用いて、前記店舗別収納部材情報を更新することを特徴とする請求項１に記載の貨幣処理システム。
【請求項３】
前記店舗別収納部材情報は、前記収納部材が前記エアシュータにセットされた時刻もしくは前記店舗において前記収納部材の前記収納部材識別子が読み取られた時刻、前記収納部材に貨幣が収納された時刻、前記収納部材が前記金庫に搬送された時刻、および前記出納室において前記収納部材の前記収納部材識別子が読み取られた時刻のうち少なくともいずれかを含むことを特徴とする請求項１または２に記載の貨幣処理システム。
【請求項４】
前記店舗別収納部材情報は、前記収納部材のステータスとして、前記収納部材が前記エアシュータにセットされる前の状態である第１の状態、前記収納部材が前記エアシュータにセットされた状態である第２の状態、および前記収納部材が前記エアシュータにより前記金庫に搬送された状態である第３の状態のうちいずれかを含み、
前記制御装置は、前記収納部材のステータスが変わると、前記収納部材情報を更新し、前記店舗内在高管理端末は、前記制御装置から受信した前記更新された収納部材情報を用いて前記店舗別収納部材情報を更新することを特徴とする請求項１ないし３のいずれかに記載の貨幣処理システム。
【請求項５】
前記制御装置は、前記エアシュータのステータスを通知するステータス通知部から、前記収納部材が前記エアシュータにセットされたことを通知されると、前記収納部材情報のステータスを前記第１の状態から前記第２の状態に変更し、前記ステータス通知部から、前記エアシュータにセットされた前記収納部材が前記エアシュータにより前記金庫に搬送されたことを通知されると、前記収納部材情報のステータスを前記第２の状態から前記第３の状態に変更することを特徴とする請求項４に記載の貨幣処理システム。
【請求項６】
前記店舗別収納部材情報は、前記収納部材のステータスとして、前記収納部材が前記エアシュータにセットされる前の状態である第１の状態、前記収納部材が前記エアシュータにセットされた状態である第２の状態、前記収納部材が前記エアシュータにより前記金庫に搬送された状態である第３の状態、前記収納部材が警送会社に搬送中の状態である第４の状態、および前記収納部材が前記警送会社に搬送された状態である第５の状態のうちいずれかを含み、
前記制御装置は、前記収納部材のステータスが変わると、前記収納部材情報を更新し、前記店舗内在高管理端末は、前記制御装置から受信した前記更新された収納部材情報を用いて前記店舗別収納部材情報を更新することを特徴とする請求項１ないし３のいずれかに記載の貨幣処理システム。
【請求項７】
前記制御装置は、前記エアシュータのステータスを通知するステータス通知部から、前記収納部材が前記エアシュータにセットされたことを通知されると、前記収納部材情報のステータスを前記第１の状態から前記第２の状態に変更し、前記ステータス通知部から、前記エアシュータにセットされた前記収納部材が前記エアシュータにより前記金庫に搬送されたことを通知されると、前記収納部材情報のステータスを前記第２の状態から前記第３の状態に変更し、
前記店舗内在高管理端末は、前記金庫から取り出された前記収納部材の収納部材識別子が前記出納室において読み取られると、前記店舗別収納部材情報のステータスを前記第３の状態から前記第４の状態に変更し、前記警送会社に搬送された前記収納部材の収納部材識別子が前記警送会社において読み取られると、前記店舗別収納部材情報のステータスを前記第４の状態から前記第５の状態に変更することを特徴とする請求項６に記載の貨幣処理システム。
【請求項８】
前記店舗内在高管理端末に接続され、かつ、前記収納部材識別子を読み取る第２の読取り機をさらに備えることを特徴とする請求項１ないし７のいずれかに記載の貨幣処理システム。
【請求項９】
前記店舗内在高管理端末と通信可能に接続されたＣＩＴ店舗内在高管理端末をさらに備え、
前記第２の読取り機によって前記金庫から取り出された前記収納部材の収納部材識別子が読み取られると、前記店舗内在高管理端末は、当該収納部材の収納部材情報を、前記ＣＩＴ店舗内在高管理端末に送信することを特徴とする請求項８に記載の貨幣処理システム。
【請求項１０】
前記ＣＩＴ店舗内在高管理端末に接続され、かつ、前記収納部材識別子を読み取る第３の読取り機をさらに備えることを特徴とする請求項９に記載の貨幣処理システム。
【請求項１１】
前記収納部材は、書き込みおよび読み出しが可能な記憶部を有し、
前記記憶部は、前記店舗識別子および前記収納部材情報を記憶することを特徴とする請求項１ないし１０のいずれかに記載の貨幣処理システム。
【請求項１２】
前記エアシュータは、当該エアシュータにセットされた前記収納部材の前記記憶部に所定の情報を書き込むための書き込み部を有することを特徴とする請求項１１に記載の貨幣処理システム。
【請求項１３】
前記エアシュータは、前記エアシュータにセットされた前記収納部材の前記収納部材識別子を読み取る読取り部を有し、かつ、前記読取り部で読み取られた前記収納部材識別子を前記制御装置に送信し、
前記制御装置は、前記エアシュータの前記読取り部によって読み取られた収納部材識別子が、前記第１の読取り機によって読み取られた収納部材識別子と一致する場合に、前記店舗内在高管理端末に前記収納部材情報を送信することを特徴とする請求項１ないし１２のいずれかに記載の貨幣処理システム。
【請求項１４】
前記第１の読取り機は前記店舗に設置されたＰＯＳレジスタに接続されていることを特徴とする請求項１ないし１３のいずれかに記載の貨幣処理システム。
【請求項１５】
前記ＰＯＳレジスタは、前記第１の読取り機で読み取られた前記収納部材識別子と、前記店舗識別子としての前記ＰＯＳレジスタの識別子とを前記制御装置に送信することを特徴とする請求項１４に記載の貨幣処理システム。
【請求項１６】
前記収納部材識別子は、前記収納部材の有するバーコードまたはＩＣタグに記憶されていることを特徴とする請求項１ないし１５のいずれかに記載の貨幣処理システム。
【発明の詳細な説明】
【技術分野】
【０００１】
本発明は、貨幣処理システムに関し、より詳しくは、エアシュータにより店舗と出納室の間で収納部材を搬送する貨幣処理システムに関する。
【背景技術】
【０００２】
スーパーマーケット等において店舗と出納室間で貨幣（紙幣、硬貨）を搬送する手段の一つとして、貨幣を収納した収納部材（カプセル）を搬送するエアシュータ（気送管システム）が知られている。例えば、特許文献１には、スーパーマーケットのキャッシュデスクで処理された現金を出納室に搬送するためのエアチューブシステムが開示されている。
【先行技術文献】
【特許文献】
【０００３】
【特許文献１】欧州特許第００３４９４０号明細書
【発明の概要】
【発明が解決しようとする課題】
【０００４】
しかし、従来のエアチューブを用いた貨幣処理システムでは、収納部材を管理しておらず、エアシュータにより回収される貨幣がどの店舗において貨幣処理システムに投入されたものなのか等を確認することができない。このため、貨幣処理システム内の貨幣を厳正に管理できず、セキュリティ上望ましくなかった。
【０００５】
そこで、本発明は、収納部材のステータスおよび収納部材内の貨幣の在高を管理することが可能な貨幣処理システムを提供することを目的とする。
【課題を解決するための手段】
【０００６】
本発明の一態様による貨幣処理システムは、顧客と店員との間で貨幣をやりとりする店舗と、前記店舗内の貨幣を回収するための金庫が設置された出納室と、前記店舗と前記出納室との間で収納部材を搬送するエアシュータと、を備える貨幣処理システムであって、前記エアシュータにセットされる前記収納部材から、前記収納部材を識別するための収納部材識別子を読み取る、第１の読取り機と、前記第１の読取り機によって読み取られた前記収納部材識別子を用いて前記収納部材識別子を含む収納部材情報を作成し、前記収納部材情報および前記店舗を識別するための店舗識別子を送信する、制御装置と、前記制御装置から前記店舗識別子および前記収納部材情報を受信し、かつ、前記収納部材情報を前記店舗識別子と関連付けた店舗別収納部材情報を記憶する、店舗内在高管理端末と、を備える。このような貨幣処理システムによれば、収納部材を店舗と関連付けて管理することができ、収納部材内の貨幣がどの店舗で投入されたものかを把握することが可能となる。
【０００７】
また、本発明の一態様による貨幣処理システムにおいて、前記エアシュータにセットされた前記収納部材に貨幣を収納する、収納部と、投入された貨幣の識別を行う識別部を有し、前記識別部により識別された貨幣を前記収納部に投出する識別機と、をさらに備え、前記制御装置は、ある取引において前記識別機に貨幣が投入されると、前記収納部により前記収納部材に収納された貨幣の金種別在高を用いて、前記収納部材情報を更新し、前記店舗内在高管理端末は、前記制御装置から受信した前記更新された収納部材情報を用いて、前記店舗別収納部材情報を更新するようにしてもよい。これにより、収納部材の貨幣の在高を管理することができる。
【０００８】
また、本発明の一態様による貨幣処理システムにおいて、前記店舗別収納部材情報は、前記収納部材が前記エアシュータにセットされた時刻もしくは前記店舗において前記収納部材の前記収納部材識別子が読み取られた時刻、前記収納部材に貨幣が収納された時刻、前記収納部材が前記金庫に搬送された時刻、および前記出納室において前記収納部材の前記収納部材識別子が読み取られた時刻のうち少なくともいずれかを含むようにしてもよい。
【０００９】
また、本発明の一態様による貨幣処理システムにおいて、前記店舗別収納部材情報は、前記収納部材のステータスとして、前記収納部材が前記エアシュータにセットされる前の状態である第１の状態、前記収納部材が前記エアシュータにセットされた状態である第２の状態、および前記収納部材が前記エアシュータにより前記金庫に搬送された状態である第３の状態のうちいずれかを含み、前記制御装置は、前記収納部材のステータスが変わると、前記収納部材情報を更新し、前記店舗内在高管理端末は、前記制御装置から受信した前記更新された収納部材情報を用いて前記店舗別収納部材情報を更新するようにしてもよい。これにより、店舗内在高管理端末により収納部材のステータスを管理することができる。
【００１０】
また、本発明の一態様による貨幣処理システムにおいて、前記制御装置は、前記エアシュータのステータスを通知するステータス通知部から、前記収納部材が前記エアシュータにセットされたことを通知されると、前記収納部材情報のステータスを前記第１の状態から前記第２の状態に変更し、前記ステータス通知部から、前記エアシュータにセットされた前記収納部材が前記エアシュータにより前記金庫に搬送されたことを通知されると、前記収納部材情報のステータスを前記第２の状態から前記第３の状態に変更するようにしてもよい。
【００１１】
また、本発明の一態様による貨幣処理システムにおいて、前記店舗別収納部材情報は、前記収納部材のステータスとして、前記収納部材が前記エアシュータにセットされる前の状態である第１の状態、前記収納部材が前記エアシュータにセットされた状態である第２の状態、前記収納部材が前記エアシュータにより前記金庫に搬送された状態である第３の状態、前記収納部材が警送会社に搬送中の状態である第４の状態、および前記収納部材が前記警送会社に搬送された状態である第５の状態のうちいずれかを含み、前記制御装置は、前記収納部材のステータスが変わると、前記収納部材情報を更新し、前記店舗内在高管理端末は、前記制御装置から受信した前記更新された収納部材情報を用いて前記店舗別収納部材情報を更新するようにしてもよい。これにより、収納部材のステータスをより詳細に管理することができる。
【００１２】
また、本発明の一態様による貨幣処理システムにおいて、前記制御装置は、前記エアシュータのステータスを通知するステータス通知部から、前記収納部材が前記エアシュータにセットされたことを通知されると、前記収納部材情報のステータスを前記第１の状態から前記第２の状態に変更し、前記ステータス通知部から、前記エアシュータにセットされた前記収納部材が前記エアシュータにより前記金庫に搬送されたことを通知されると、前記収納部材情報のステータスを前記第２の状態から前記第３の状態に変更し、前記店舗内在高管理端末は、前記金庫から取り出された前記収納部材の収納部材識別子が前記出納室において読み取られると、前記店舗別収納部材情報のステータスを前記第３の状態から前記第４の状態に変更し、前記警送会社に搬送された前記収納部材の収納部材識別子が前記警送会社において読み取られると、前記店舗別収納部材情報のステータスを前記第４の状態から前記第５の状態に変更するようにしてもよい。
【００１３】
また、本発明の一態様による貨幣処理システムは、前記店舗内在高管理端末に接続され、かつ、前記収納部材識別子を読み取る第２の読取り機をさらに備えてもよい。
【００１４】
また、本発明の一態様による貨幣処理システムは、前記店舗内在高管理端末と通信可能に接続されたＣＩＴ店舗内在高管理端末をさらに備え、前記第２の読取り機によって前記金庫から取り出された前記収納部材の収納部材識別子が読み取られると、前記店舗内在高管理端末は、当該収納部材の収納部材情報を、前記ＣＩＴ店舗内在高管理端末に送信するようにしてもよい。これにより、警送会社はＣＩＴ店舗内在高管理端末から、警送会社に回収される収納部材の在高等の情報を得ることができる。
【００１５】
また、本発明の一態様による貨幣処理システムは、前記ＣＩＴ店舗内在高管理端末に接続され、かつ、前記収納部材識別子を読み取る第３の読取り機をさらに備えてもよい。
【００１６】
また、本発明の一態様による貨幣処理システムにおいては、前記収納部材は、書き込みおよび読み出しが可能な記憶部を有し、前記記憶部は、前記店舗識別子および前記収納部材情報を記憶するようにしてもよい。これにより、店舗内在高管理端末やＣＩＴ店舗内在高管理端末がなくても、記憶部のリーダーを用いて収納部材情報を読み取ることができる。
【００１７】
また、本発明の一態様による貨幣処理システムにおいては、前記エアシュータは、当該エアシュータにセットされた前記収納部材の前記記憶部に所定の情報を書き込むための書き込み部を有するようにしてもよい。これにより、収納部材に収納された貨幣の情報などを逐次記憶部に書き込むことができる。
【００１８】
また、本発明の一態様による貨幣処理システムにおいては、前記エアシュータは、前記エアシュータにセットされた前記収納部材の前記収納部材識別子を読み取る読取り部を有し、かつ、前記読取り部で読み取られた前記収納部材識別子を前記制御装置に送信し、前記制御装置は、前記エアシュータの前記読取り部によって読み取られた収納部材識別子が、前記第１の読取り機によって読み取られた収納部材識別子と一致する場合に、前記店舗内在高管理端末に前記収納部材情報を送信するようにしてもよい。これにより、読取り機で収納部材識別子を読み取られた収納部材と異なる収納部材がエアシュータにセットされた場合における、管理情報と現物情報の不一致を防止することができる。
【００１９】
また、本発明の一態様による貨幣処理システムにおいては、前記第１の読取り機は前記店舗に設置されたＰＯＳレジスタに接続されているようにしてもよい。
【００２０】
また、本発明の一態様による貨幣処理システムにおいては、前記ＰＯＳレジスタは、前記第１の読取り機で読み取られた前記収納部材識別子と、前記店舗識別子としての前記ＰＯＳレジスタの識別子とを前記制御装置に送信するようにしてもよい。
【００２１】
また、本発明の一態様による貨幣処理システムにおいては、前記収納部材識別子は、前記収納部材の有するバーコードまたはＩＣタグに記憶されているようにしてもよい。
【発明の効果】
【００２２】
本発明による貨幣処理システムによれば、収納部材のステータスおよび収納部材内の貨幣の在高を管理することができる。
【図面の簡単な説明】
【００２３】
【図１】本発明の実施形態による貨幣処理システムの構成を示すブロック図である。
【図２】収納部を含むエアシュータ、および識別機の構成を示す構成図である。
【図３】（ａ）〜（ｃ）は、収納機構により紙幣が収納部材に収納される様子を順に示す斜視図である。
【図４】収納機構を有する識別機の構成を示す構成図である。
【図５】収納部材をエアシュータにセットするときの、本実施形態による貨幣処理システムの動作を示すフロー図である。
【図６】識別機に貨幣を投入するときの、本実施形態による貨幣処理システムの動作を示すフロー図である。
【図７】（ａ）はカプセル情報の構成例を示し、（ｂ）はレジスタ別カプセル情報の構成例を示す図である。
【図８】図１に示すシステムにおける、カプセルのステータスの遷移を説明するための図である。
【図９】店舗内在高管理端末に表示された、カプセルごとの在高を示す画面の一例である。
【図１０】店舗内在高管理端末に表示された、カプセルの金種別在高を示す画面の一例である。
【図１１】カプセルごとの在高を示す警送会社への送り状の一例である。
【図１２】警送会社に設置された店舗内在高管理端末を含む貨幣処理システムの構成を示すブロック図である。
【図１３】図１０に示すシステムにおける、カプセルのステータスの遷移を説明するための図である。
【発明を実施するための形態】
【００２４】
本発明の実施形態に係る貨幣処理システムの構成を、図１を用いて説明する。
【００２５】
図１は、本実施形態に係る貨幣処理システム１の構成を示すブロック図である。図１に示すように、貨幣処理システム１は、店員が顧客との間で貨幣（紙幣、硬貨）のやりとりをする店舗１０と、店舗１０内の貨幣を管理および回収する出納室２０と、店舗１０から出納室２０に貨幣が収納された収納部材４０を搬送するエアシュータ３０とから構成されている。なお、図１において、店舗１０は一つしか記載されていないが、一般的には、貨幣処理システム１は複数の店舗１０を含む。
【００２６】
次に、店舗１０の構成について説明する。店舗１０は、制御装置１１と、ＰＯＳ（Point Of Sales）レジスタ１２と、貨幣釣銭機１３と、識別機１４と、ＰＯＳレジスタ１２に接続された読取り機１５とを含む。貨幣釣銭機１３には、紙幣を入出金する紙幣釣銭機１３Ａと、硬貨を入出金する硬貨釣銭機１３Ｂとがある。
【００２７】
制御装置１１は、図１に示すように、ＰＯＳレジスタ１２および貨幣釣銭機１３に通信可能に接続されており、ＰＯＳレジスタ１２の表示部に所定のメッセージを表示させる。さらに、制御装置１１は、貨幣釣銭機１３内の貨幣の在高を管理するとともに、貨幣釣銭機１３を制御する。
【００２８】
また、制御装置１１は、識別機１４、および後で詳細に説明するエアシュータ３０のステータス通知部３１にも通信可能に接続されている。これにより、制御装置１１は、識別機１４を監視および制御するとともに、エアシュータ３０を監視することが可能である。
【００２９】
また、制御装置１１は、図１に示すように、出納室２０に設置された店舗内在高管理端末２１と通信可能に接続されており、貨幣釣銭機１３およびエアシュータ３０にセットされた収納部材４０内の貨幣の在高などのさまざまな情報を店舗内在高管理端末２１に通知することが可能である。
【００３０】
ＰＯＳレジスタ１２は、各種のメッセージや入出金情報（金種、枚数など）を表示する表示部と、店員が顧客からの受取金額などを入力するための入力部とを有する。
【００３１】
また、ＰＯＳレジスタ１２は、読取り機１５により読み取られた収納部材４０の識別子（収納部材識別子）を制御装置１１に通知する。この収納部材識別子は、収納部材４０を示すものであり、収納部材ごとに一意に割り振られる。以下、収納部材識別子を「カプセルＩＤ」ともいう。
【００３２】
読取り機１５は、収納部材４０の収納部材識別子を読み取る機器であり、例えば収納部材識別子を記憶する記憶部４０ｍ（後述）がＩＣタグの場合にはＩＣタグリーダである。また、収納部材識別子が収納部材４０に貼付されたバーコードに記録される場合、読取り機１５としてバーコードを読み取るバーコードリーダを用いる。
【００３３】
貨幣釣銭機１３は店員と顧客との間の精算処理などを行う。精算処理では、貨幣釣銭機１３は、顧客が支払った代金を機内に収納する入金処理、および顧客へ支払う釣銭を機外に投出する出金処理を行う。
【００３４】
また、貨幣釣銭機１３は、出納室２０の金庫２２に機内の貨幣を回収するために、機内の貨幣を出金する回収動作を行う。
【００３５】
また、貨幣釣銭機１３は、投入された貨幣を収納し、収納された貨幣を操出可能な釣銭収納操出部を複数有する。各釣銭収納操出部は、割り当てられた金種の貨幣を収納する。貨幣釣銭機１３内に収納される在高の上限値（残置枚数）は金種ごとに決められている。この残置枚数は、釣銭収納操出部が収納可能な貨幣の最大値とは限らない。例えば、高額紙幣の場合には、店舗内の在高を少なくするために、残置枚数として比較的低い値が設定される。
【００３６】
識別機１４は、投入された貨幣の識別を行う識別部１４５を有し、この識別部１４５により識別された貨幣をエアシュータ３０の収納部３２に投出するように構成されている。
【００３７】
また、識別機１４は、貨幣投入待ち状態か否かにより動作が異なる。貨幣投入待ち状態とは、貨幣の投入が可能な状態のことであり、貨幣投入待ち状態でなければ、貨幣を投入口から投入することができない、もしくは、投入された貨幣はリジェクトされ機外に投出される。貨幣投入待ち状態か否かについては制御装置１１により設定される。即ち、制御装置１１は、識別機１４から通知された識別機１４のステータスに基づいて、識別機１４を貨幣の投入が可能な貨幣投入待ち状態にするか否かを決定する。
【００３８】
さらに、識別機１４は、制御装置１１と通信可能に接続されており、識別機１４のステータス（ジャム発生など）や識別した貨幣の情報（金種、枚数など）を制御装置１１に通知する。
【００３９】
次に、出納室２０の構成について説明する。出納室２０は、図１に示すように、店舗１０内にある貨幣の在高を管理する店舗内在高管理端末２１と、エアシュータ３０によって店舗１０から搬送された収納部材４０を収納する金庫２２と、金庫２２から取り出された収納部材４０の識別子を読み取るための読取り機２３とを含む。
【００４０】
店舗内在高管理端末２１は、ＬＡＮ（Local Area Network）等の通信回線を介して、店舗１０に設置された制御装置１１と通信可能に接続されている。この店舗内在高管理端末２１は、店舗１０内に設置された貨幣釣銭機１３に収納されている貨幣の在高（金種、枚数）を管理するとともに、収納部材４０に収納された貨幣の在高（金種、枚数）も管理する。
【００４１】
次に、収納部材４０を店舗１０から出納室２０に搬送するエアシュータ３０について説明する。
【００４２】
エアシュータ３０は、店舗１０の識別機１４および出納室２０の金庫２２にそれぞれ接続されたエアチューブを有しており、エアチューブ内の空気圧により貨幣が収納された収納部材（カプセル）４０を店舗１０から出納室２０に搬送するように構成されている。収納部材４０は所定の方向を向くように、店員によりエアチューブの端部にセットされる。エアシュータ３０には収納部材４０が所定の位置にセットされたことを検知するセンサ（図示せず）が設けられている。後述のステータス通知部３１は、このセンサにより収納部材４０がエアシュータ３０にセットされているか否かを知ることができる。
【００４３】
エアシュータ３０にセットされた収納部材４０は、エアシュータ３０に設けられた搬送ボタン（図示せず）を店員が押下することによって、出納室２０に向けて搬送され、金庫２２内に収納される。
【００４４】
なお、エアシュータ３０は、所定枚数の貨幣が収納部材４０に収納されると、収納部材４０を出納室２０に向けて搬送するように構成することも可能である。これにより、所定枚数の貨幣を収納した収納部材４０を自動的に出納室２０に搬送することができる。
【００４５】
また、エアシュータ３０は、収納部材４０に収納された貨幣の枚数を、後述のステータス通知部３１により制御装置１１を介して店舗内在高管理端末２１に通知するとともに、店舗内在高管理端末２１からの指示により収納部材４０を搬送するように構成することも可能である。これにより、店舗内在高管理端末２１の操作者は、収納部材４０の在高を監視することができるとともに、収納部材４０の在高に基づいて当該収納部材４０を搬送することができる。
【００４６】
次に、収納部材４０の構成について詳細に説明する。図２に示すように、収納部材４０は、例えば中空の円筒形状のものであり、側面には長手方向に延びる細長いスリット４０ａが設けられている。このスリット４０ａの長さは、収納部材４０に収納されるべき紙幣の長さよりも大きく、スリット４０ａを介して収納部材４０の内部に紙幣が投入される。なお、図２に示す収納部材４０は、一例であり、収納部材４０として様々なタイプのものを用いることができる。また、図２に示すように、収納部材４０は、例えばＩＣタグ等からなる記憶部４０ｍを有する。この記憶部４０ｍは、書き込みおよび読み出しが可能であり、収納部材４０を識別するための識別番号（収納部材識別子）、および、収納部材４０に収納された貨幣の情報（金種、枚数など）を記憶することができる。例えば、記憶部４０ｍは、後述の収納部材情報を記憶してもよい。
【００４７】
次に、図２を用いて、識別機１４、およびエアシュータ３０の有する収納部３２の構成について詳しく説明する。
【００４８】
図２に示すように、識別機１４は、略直方体形状の筐体１４１と、投入口１４２と、投出口１４３と、搬送部１４４と、識別部１４５と、センサ１４６と、を備えている。
【００４９】
識別機１４の筐体１４１には、筐体１４１の外部から内部に紙幣を投入するための投入口１４２と、搬送部１４４により搬送された紙幣を筐体の内部から外部に投出する投出口１４３とが設けられている。
【００５０】
搬送部１４４は、筐体１４１の内部に設けられ、投入口１４２により筐体１４１の内部に投入された紙幣を１枚ずつ搬送する。
【００５１】
識別部１４５は、投入口１４２に投入され、搬送部１４４に搬送された紙幣の金種および真偽を識別する。
【００５２】
センサ１４６は、例えばフォトインタラプタまたはフォトセンサから構成され、識別機１４内のジャム（紙幣の詰まり）の発生を検知する。例えば、識別機１４の投出口１４３から投出された紙幣が詰まり、収納部３２の投入口３２２に正常に入らないときに、その紙幣を検知することができる。
【００５３】
次に、エアシュータ３０の有する収納部３２の構成について図２を用いて説明する。収納部３２は、エアシュータ３０にセットされた収納部材４０に、識別機１４により識別された紙幣を収納する。収納部３２の筐体３２１には投入口３２２が設けられており、識別機１４の投出口１４３から投出された紙幣は投入口３２２から筐体３２１の内部に入り、一時保留部３２３に保留される。
【００５４】
収納部３２は収納機構３２４を備えており、この収納機構３２４は、一時保留部３２３に保留された紙幣を、エアシュータ３０にセットされた収納部材４０に収納するように構成されている。例えば、収納機構３２４は押し出し部材３２４ａを有し、一時保留部３２３に保留された紙幣Ｓを収納部材４０に押し込むように収納する。この押し込み動作の詳細について図３を用いて説明する。
【００５５】
図３（ａ）〜（ｃ）は、収納部材４０と、押し出し部材３２４ａを有する収納機構３２４とを示す斜視図であって、当該収納機構３２４により紙幣が収納部材４０に収納される動作を順に示している。なお、図３に示す例では、収納部材４０として、スリット４０ａが側面に設けられたものを使用している。図３に示すように、収納機構３２４の押し出し部材３２４ａは、一時保留部３２３に保留された１枚の紙幣Ｓを収納部材４０のスリット４０ａに向けて押し出し、紙幣Ｓを収納部材４０に収納する。このようにして、識別機１４に投入され、識別部１４５により識別された紙幣は、１枚ずつ収納部材４０に収納される。
【００５６】
また、収納部３２はステータスを検知するためのセンサを有する。即ち、収納部３２は、収納機構３２４の位置を検出するためのセンサ３３１と、一時保留部３２３に紙幣が存在するかどうかを検知するためのセンサ３３２とを有する。センサ３３１，３３２はフォトインタラプタまたはフォトセンサなどで構成される。
【００５７】
センサ３３１により検知された収納機構３２４の位置情報によって、押し込み動作中か否かを知ることができる。
【００５８】
このセンサ３３１およびセンサ３３２から得られる情報を用いて、収納部３２にジャムが発生しているか否かを知ることができる。即ち、押し込み動作が終了したにもかかわらず一時保留部３２３に紙幣が存在するのであれば、ジャムが発生したと判断することができる。また、後述のセンサ３３３からの情報も用いてジャム発生の有無を判断してもよい。
【００５９】
エアシュータ３０は、図２に示すように、収納部材４０に紙幣が収納されたことを検知するセンサ３３３を有する。このセンサ３３３は、フォトインタラプタまたはフォトセンサなどで構成され、一時保留部３２３と、エアシュータ３０にセットされた収納部材４０のスリット４０ａとの間（エアチューブに設けられたスリット等）に設けられている。
【００６０】
次に、エアシュータ３０のステータス通知部３１について説明する。このステータス通知部３１は、後述の各種のセンサ（センサ３３１〜３３３など）を用いてエアシュータ３０（収納部３２を含む。）のステータスを把握し、エアシュータ３０のステータスを制御装置１１に通知する。エアシュータ３０のステータスは、収納部材４０がエアシュータ３０にセットされているか否か、収納動作中か否か、エアシュータ３０内にジャムが発生しているか否かを含む。
【００６１】
また、ステータス通知部３１は、センサ３３３からの情報により、紙幣が収納部材４０に収納されたことを知ることができ、紙幣が収納される度に制御装置１１に通知してもよい。これにより、制御装置１１は、収納部材４０に収納されている紙幣の枚数を把握することができる。
【００６２】
制御装置１１は、収納部材４０内の紙幣の在高を記憶する記憶部を有する。制御装置１１が、この記憶部に記憶された在高を更新するタイミングは２つある。
【００６３】
第１のタイミングは、識別機１４に投入された貨幣が収納部材４０に収納されたことをステータス通知部３１から通知されたタイミングであり、このとき、制御装置１１は記憶部に記憶された紙幣の在高を更新する。なお、ジャムの発生によって貨幣が収納部材４０に収納されなかった場合には、当該貨幣は識別機１４に再投入される。
【００６４】
第２のタイミングは、識別機１４に投入された紙幣が識別部１４により識別されたことを識別機１４から通知されたタイミングであり、このとき、制御装置１１は記憶部に記憶された紙幣の在高を更新する。いずれのタイミングを用いるかはシステムの運用による。なお、第２のタイミングを用いる場合、識別機１４に投入された紙幣がジャムの発生により識別機１４から除去されて再投入されたものであるときは、ダブルカウントを避けるため、記憶部に記憶された貨幣の在高を更新しない。
【００６５】
なお、紙幣を収納部材４０に収納する収納部は、上記の例ではエアシュータに含まれていたが、識別機に含まれるようにしてもよい。図４は、収納部を有する識別機１４Ａの構成を示している。図４において、図３で説明した機能と同等の機能を有する構成要素には同一の符号を付している。
【００６６】
図４に示すように、エアシュータ３０の端部は、識別機１４Ａの筐体１４１の外側面の近傍に設けられている。あるいは、エアシュータ３０の端部は、識別機１４Ａの筐体１４１の外側面に取り付けられていてもよい。また、図４に示すように、識別機１４の筐体１４１の内部において搬送部１４４の下流側端部の近傍には収納機構３２４が設けられている。このような識別機１４Ａ、投入口１４２に投入された紙幣は、搬送部１４４により一時保留部３２３まで搬送され、その後、図３を用いて説明したように、収納機構３２４により収納部材４０内に収納される。
【００６７】
識別機１４Ａは、エアシュータ３０にセットされた収納部材４０に紙幣を収納する収納機構３２４と、投入された紙幣の識別を行う識別部１４５とを有し、識別機１４Ａのステータスを通知するように構成される。
【００６８】
次に、図５及び図６のフロー図を用いて、本実施形態による貨幣処理システムの動作を説明する。図５は収納部材４０をエアシュータ３０にセットするときの貨幣処理システムの動作を示し、図６は識別機１４に貨幣を投入するときの貨幣処理システムの動作を示している。
【００６９】
まず、ＰＯＳレジスタ１２は、カプセルＩＤの読取り処理を行う。このカプセルＩＤの読取り処理では、ＰＯＳレジスタ１２は、当該ＰＯＳレジスタ１２に接続された読取り機１５により、エアシュータ３０にセットすべき収納部材４０のカプセルＩＤを読み取り、そして、読み取られたカプセルＩＤを制御装置１１に通知する。この際、ＰＯＳレジスタ１２は、制御装置１１に、カプセルＩＤとともに当該ＰＯＳレジスタ１２の識別子（レジスタＩＤ）を通知してもよい。
【００７０】
制御装置１１は、ＰＯＳレジスタ１２からカプセルＩＤを受信すると、カプセル情報（収納部材情報）の登録処理を行う。このカプセル情報の登録処理では、制御装置１１は、収納部材４０のカプセルＩＤを含むカプセル情報を新たに作成し、制御装置１１の記憶部に記憶するとともに、レジスタＩＤおよび作成されたカプセル情報を店舗内在高管理端末２１に送信する。
【００７１】
ここで、図７（ａ）を用いてカプセル情報について具体的に説明する。図７（ａ）は、カプセル情報の構成（項目）の一例を示すものである。
【００７２】
図７（ａ）に示すように、カプセル情報は、カプセルＩＤ、日付・時刻、金種別在高およびステータスから構成されている。「カプセルＩＤ」は、ＰＯＳレジスタ１２から通知された収納部材４０の識別子である。
【００７３】
カプセル情報の「日付・時刻」は、収納部材４０がエアシュータ３０にセットされた時刻であり、ステータス通知部３１から制御装置１１に通知される。なお、「日付・時刻」は、ＰＯＳレジスタ１２から通知された、収納部材４０のカプセルＩＤを読み取った時刻でもよい。
【００７４】
「金種別在高」は、識別機１４から制御装置１１に通知される情報であり、識別機１４で識別された貨幣の金種ごとの枚数を示す。「ステータス」は、収納部材４０のステータスを示すものであり、後で詳しく説明する。
【００７５】
制御装置１１は、作成したカプセル情報をレジスタＩＤとともに店舗内在高管理端末２１に送信する。このレジスタＩＤは、ＰＯＳレジスタ１２の識別子である。
【００７６】
店舗内在高管理端末２１は、制御装置１１からレジスタＩＤとカプセル情報とを受信すると、レジスタ別カプセル情報（店舗別収納部材情報）の登録処理を行う。このレジスタ別カプセル情報の登録処理では、店舗内在高管理端末２１は、レジスタ別カプセル情報を作成し、店舗内在高管理端末２１の記憶部に記憶する。なお、店舗内在高管理端末２１の記憶部に既に金庫２２に搬送された収納部材に関するレジスタ別カプセル情報があっても、その情報は削除しない。また、店舗内在高管理端末２１の記憶部は、店舗内在高管理端末２１が有してもよいし、通信可能に接続された他の装置の記憶部でもよい。
【００７７】
ここで、図７（ｂ）を用いてレジスタ別カプセル情報について具体的に説明する。図７（ｂ）は、レジスタ別カプセル情報の構成（項目）の一例を示すものである。
【００７８】
図７（ｂ）に示すように、レジスタ別カプセル情報は、レジスタＩＤ、カプセルＩＤ、日付・時刻、在高、金種別在高およびステータスから構成されている。ここで、「日付・時刻」は、収納部材４０がエアシュータ３０にセットされた時刻（または店舗１０において収納部材４０のカプセルＩＤを読み取った時刻）、収納部材４０に貨幣が収納された時刻、収納部材４０が金庫２２に搬送された時刻、または出納室２０において収納部材４０のカプセルＩＤを読み取った時刻である。また、「在高」は、収納部材４０に収納された貨幣の枚数である。その他の項目については前述の通りである。
【００７９】
図７（ｂ）に示すように、レジスタ別カプセル情報では、店舗を示すレジスタＩＤと、カプセルＩＤとが関連付けられている。このため、収納部材と店舗がひも付けされ、どの収納部材にどの店舗の貨幣が投入されたか等について店舗内在高管理端末２１で管理することが可能となる。
【００８０】
収納部材に所定枚数の貨幣が収納されると、その収納部材は出納室の金庫に搬送され、店舗のエアシュータには新たな収納部材がセットされる。このようにセットされた収納部材についても、上記と同様の処理フローに従い、制御装置１１によりカプセル情報が作成され、店舗内在高管理端末２１によりレジスタ別カプセル情報が作成される。
【００８１】
なお、制御装置１１は、最新のカプセル情報のみ記憶するように構成してもよい。その場合、制御装置１１は、ＰＯＳレジスタ１２から新たなカプセルＩＤを受信すると、古いカプセル情報を削除した上で、新たなカプセル情報の登録処理を行う。また、店員がＰＯＳレジスタ１２の入力部に指示することで、当該制御装置１１と接続されたＰＯＳレジスタ１２の表示部に、制御装置１１が記憶しているカプセル情報を表示するようにしてもよい。
【００８２】
次に、識別機１４に貨幣が投入されたときの貨幣処理システムの動作について、図６を用いて説明する。
【００８３】
まず、ある取引における貨幣が識別機１４の投入口１４２に投入されると、識別機１４は入金処理を行う。この入金処理では、識別機１４は、識別部１４５により投入された貨幣を識別し、入金データ（識別した貨幣の金種、枚数）を制御装置１１に通知する。
【００８４】
制御装置１１は、識別機１４から入金データを受信すると、当該制御装置１１の記憶部に記憶されたカプセル情報を更新する。具体的には、図７（ａ）に示すカプセル情報の「金種別在高」の内容を更新する。例えば、入金データが、金種Ａの貨幣５枚と金種Ｂの貨幣７枚とが入金されたことを示す場合、制御装置１１はカプセル情報の金種Ａおよび金種Ｂの在高をそれぞれ５および７だけ増加させる。なお、カプセル情報の更新は、エアシュータ３０のステータス通知部３１からの情報を併用して行ってもよい。即ち、識別機１４からの入金データに加えて、例えばセンサ３３３等から得られる情報を用いてもよい。これにより、収納部材４０への貨幣の収納をより確実に把握して、カプセル情報に反映することができる。
【００８５】
次いで、制御装置１１は、更新されたカプセル情報をレジスタＩＤとともに店舗内在高管理端末２１に送信する。
【００８６】
店舗内在高管理端末２１は、制御装置１１からレジスタＩＤと更新されたカプセル情報とを受信すると、レジスタ別カプセル情報の更新処理を行う。このレジスタ別カプセル情報の更新処理では、店舗内在高管理端末２１は、通知されたレジスタＩＤおよびカプセルＩＤに対応するレジスタ別カプセル情報の内容を更新する。具体的には、図７（ｂ）のレジスタ別カプセル情報の「在高」と「金種別在高」を更新する。
【００８７】
カプセル情報およびレジスタ別カプセル情報の更新は、識別機１４への貨幣投入時以外にも行われる。例えば、収納部材４０のステータスが変わった場合にも、上記と同様に、制御装置１１によるカプセル情報の更新および店舗内在高管理端末２１への通知、並びに店舗内在高管理端末２１によるレジスタ別カプセル情報の更新が行われる。
【００８８】
次に、レジスタ別カプセル情報の項目の一つであるステータスについて、図８を用いて詳細に説明する。図８は、図１に示すシステムにおける収納部材４０の取り得る３つのステータスおよびステータスの遷移を示している。“待機中”（状態Ｍ１）は、収納部材４０がエアシュータ３０にセットされる前（または読取り機１５でカプセルＩＤが読み取られる前）の状態である。“使用中”（状態Ｍ２）は、収納部材４０がエアシュータ３０にセットされた状態である。“金庫に搬送済み”（状態Ｍ３）は、収納部材４０がエアシュータ３０により出納室の金庫２２に搬送された状態である。
【００８９】
制御装置１１は、ステータス通知部３１から、収納部材４０がエアシュータ３０にセットされたことを通知されると、カプセル情報のステータスを“待機中”から“使用中”に変更する。また、制御装置１１は、ステータス通知部３１から、エアシュータ３０にセットされた収納部材４０がエアシュータ３０により金庫２２に搬送されたことを通知されると、カプセル情報のステータスを“使用中”から“金庫に搬送済み”に変更する。前述のように、カプセル情報のステータスが変更されると、更新されたカプセル情報が店舗内在高管理端末２１に送信され、レジスタ別カプセル情報が更新される。なお、収納部材４０が出納室２０の金庫２２に搬送されると、制御装置１１が記憶するカプセル情報はそれ以降更新されない。その後は、店舗内在高管理端末２１がレジスタ別カプセル情報で管理する。
【００９０】
店舗内在高管理端末２１は、金庫２２から取り出された収納部材４０のカプセルＩＤが出納室２０の読取り機２３によって読み取られると、レジスタ別カプセル情報のステータスを“金庫に搬送済み”から“待機中”に変更する。
【００９１】
上記からわかるように、レジスタ別カプセル情報を記憶・更新することで、店舗内在高管理端末２１は、各店舗１０内の収納部材４０の在高およびステータス等を管理することができる。なお、店舗１０の貨幣釣銭機１３内の在高についても従来と同様に店舗内在高管理端末２１で管理することができる。したがって、店舗内在高管理端末２１は、貨幣処理システム１内の貨幣の在高を厳正に管理することができる。
【００９２】
次に、店舗内在高管理端末２１による収納部材４０の管理イメージについて、図９および図１０を用いて詳細に説明する。図９は、店舗内在高管理端末２１に表示されたカプセル管理画面の一例である。
【００９３】
「装置名」のカラムには、ＰＯＳレジスタの名称（ＰＯＳ１，ＰＯＳ２，ＰＯＳ３）が表示される。この名称は、制御装置１１から受信したレジスタＩＤに対応しており、店舗を識別するものである。
【００９４】
「カプセルＮｏ．」のカラムには、収納部材４０の収納部材識別子に対応する番号が表示される。「日付・時刻」のカラムには、収納部材４０のステータスが変わった日付および時刻が表示される。
【００９５】
「カプセル収納金額」のカラムには、収納部材４０に収納された金額が表示される。この金額は、レジスタ別カプセル情報の金種別在高の情報を用いて計算される。
【００９６】
「金庫回収金額」のカラムには、出納室２０の金庫２２内に搬送された収納部材４０に収納された金額が表示される。この金額は、収納部材４０が金庫２２に搬送される直前に収納部材４０に収納された金額に等しい。店舗内在高管理端末２１は、収納部材４０のステータスが“使用中”から“金庫に搬送済み”に変わったことを制御装置１１から通知されると、当該収納部材４０の「カプセル収納金額」の金額に取り消し線を引くとともに、当該金額を「金庫回収金額」に表示する。
【００９７】
「警送会社回収金額」のカラムには、収納部材４０が金庫２２から取り出されて警送会社（ＣＩＴ：Ｃａｓｈ  Ｉｎ  Ｔｒａｎｓｉｔ）に搬送された金額が表示される。店舗内在高管理端末２１は、収納部材４０のステータスが“金庫に搬送済み”から“待機中”に変わると、当該収納部材４０の「金庫回収金額」の金額に取り消し線を引くとともに、当該金額を「警送会社回収金額」に表示する。
【００９８】
また、図９に示すように、「カプセル収納金額」、「金庫回収金額」および「警送会社回収金額」は、店舗ごとの小計のほか全店舗の合計が表示される。
【００９９】
店舗内在高管理端末２１は収納部材４０に収納された貨幣の金種別在高も参照することができる。図１０は、店舗内在高管理端末２１に表示された金種別在高を画面の一例である。この画面は、例えば図９の画面の「カプセルＮｏ．」カラムのカプセル番号をクリックすることにより表示される。図１０は、カプセル番号１の収納部材４０の金種別在高を表示している。
【０１００】
店舗内在高管理端末２１の操作者は、図９および図１０の画面を参照することで、収納部材４０に収納された貨幣がどこにどれだけあるのかを正確に把握することができる。したがって、本実施形態に係る貨幣処理システムによれば、収納部材のステータスおよび収納部材内の貨幣の在高管理を厳正に行うことができる。また、収納部材４０内の貨幣の在高を店舗内在高管理端末２１で把握しているため、銀行への入金を委託した警送会社に収納部材４０を引き渡す際に、収納部材４０内の貨幣を計数する必要がなく、出納室２０における業務を効率化することができる。
【０１０１】
ところで、出納室２０の金庫２２から取り出された収納部材４０はカプセルＩＤを読み取られた後、警送会社に搬送される。そして、収納部材４０が警送会社に搬送されると、収納部材４０内の貨幣が警送会社の警備員により取り出されて回収金額が計数される。この際、店舗内在高管理端末２１の管理情報と照合可能とするため、店舗内在高管理端末２１は、警送会社への送り状をプリンタ等の出力部（図示せず）から出力することができる。
【０１０２】
図１１は、警送会社への送り状の一例を示している。この例では、店番号、店名、作成日、収納部材ごとの収納金額などが記載されている。この送り状を参照することで、警送会社は、回収した収納部材に収納された貨幣の金額と、店舗内在高管理端末２１で管理している金額とを照合することができる。
【０１０３】
次に、変形例に係る貨幣処理システム１Ａについて、図１２を用いて説明する。この変形例に係る貨幣処理システム１Ａでは、警送会社にも店舗内在高管理端末が設置される。
【０１０４】
図１２は、貨幣処理システム１Ａの構成を示すブロック図である。貨幣処理システム１Ａは、図１で説明した構成を有するスーパーマーケット１００と、警送会社２００と、を含む。なお、図１２において、図１で説明した機能と同等の機能を有する構成要素には同一の符号を付している。
【０１０５】
警送会社２００には、ＣＩＴ店舗内在高管理端末２０１と、警送会社に搬送された収納部材４０の収納部材識別子を読み取るための読取り機２０２とが設置されている。
【０１０６】
スーパーマーケット１００の出納室２０に設置された店舗内在高管理端末２１と、警送会社２００に設置されたＣＩＴ店舗内在高管理端末２０１とは、インターネット等の通信ネットワークを介して接続されている。店舗内在高管理端末２１は、ＣＩＴ店舗内在高管理端末２０１に金庫２２に回収された収納部材４０ごとの在高などに関する情報を送信する。これにより、ＣＩＴ店舗内在高管理端末２０１は、スーパーマーケット１００内に存在する収納部材４０の各々について、位置（店舗１０または出納室２０）および収納された貨幣の在高を表示することができる。これにより、ユーザ（この場合、スーパーマーケット）の回収状況を、警送会社が把握することができるようになる。このため、警送会社は効率的に回収作業を行うことができる。その結果、ユーザは警送費用を削減することが可能となる。さらに、図１１で説明した送り状がなくても、警送会社は収納部材４０内の貨幣の在高と、管理上の在高とを照合することができる。
【０１０７】
次に、貨幣処理システム１Ａにおける収納部材４０のステータスについて、図１３を用いて説明する。図１３は、図１２に示すシステムにおける収納部材４０とり得る５つのステータスおよびステータスの遷移を示している。状態Ｍ１〜Ｍ３については、図８を用いて説明済みなので説明を省略する。
【０１０８】
“警送会社へ搬送中”（状態Ｍ４）は、収納部材４０が警送会社に搬送中の状態である。“警送会社に搬送済み”（状態Ｍ５）は、収納部材４０が警送会社に搬送された状態である。
【０１０９】
店舗内在高管理端末２１は、金庫２２から取り出された収納部材４０のカプセルＩＤが出納室２０の読取り機２３によって読み取られると、レジスタ別カプセル情報のステータスを“金庫に搬送済み”から“警送会社へ搬送中”に変更する。
【０１１０】
また、店舗内在高管理端末２１は、警送会社に搬送された収納部材４０のカプセルＩＤが警送会社２００の読取り機２０２によって読み取られると、その情報をＣＩＴ店舗内在高管理端末２０１から受信し、レジスタ別カプセル情報のステータスを“警送会社へ搬送中”から“警送会社に搬送済み”に変更する。なお、レジスタ別カプセル情報のステータス変更は、ＣＩＴ店舗内在高管理端末２０１で行ってもよい。
【０１１１】
警送会社に搬送された収納部材４０は開封され、内部に収納された貨幣が回収される。その後、空の収納部材４０は、警送会社により、新たなカプセルＩＤを付与された後、スーパーマーケット１００に返送される。
【０１１２】
なお、返送する収納部材４０に新たなカプセルＩＤを付与しない場合、収納部材４０のステータスは次のように遷移する。即ち、ユーザに返送された収納部材４０のカプセルＩＤが店舗１０の読取り機１５によって読み取られると、制御装置１１は、カプセル情報のステータスを“警送会社に搬送済み”から“待機中”に変更する。そして、店舗内在高管理端末２１は、レジスタ別カプセル情報のステータスを“警送会社に搬送済み”から“待機中”に変更する。
【０１１３】
以上、本発明に係る実施形態について説明した。上記の説明では、読取り機１５はＰＯＳレジスタ１２に接続されていたが、これに限らず、例えば制御装置１１に接続されてもよい。
【０１１４】
また、上記説明では、レジスタＩＤはＰＯＳレジスタ１２の識別子であったが、これに限らず、店舗を識別可能な識別子（店舗識別子）であればよい。例えば、制御装置１１等の店舗１０に設置される装置のシリアル番号でもよい。
【０１１５】
また、エアシュータ３０は、当該エアシュータにセットされた収納部材４０の記憶部４０ｍに所定の情報を書き込むための書き込み部を有してもよい。この書き込み部は、レジスタ別カプセル情報を記憶部４０ｍに書き込むように構成することができる。店舗内在高管理端末２１に通知するのと同様にして、制御装置１１はエアシュータ３０にレジスタＩＤおよびカプセル情報を送信し、その情報を元にエアシュータ３０の書き込み部は収納部材４０の記憶部４０ｍにレジスタ別カプセル情報を書き込む。これにより、店舗内在高管理端末がなくても、レジスタ別カプセル情報を読み取ることができる。
【０１１６】
また、エアシュータ３０は、当該エアシュータにセットされた収納部材４０のカプセルＩＤを読み取るための読取り部を有してもよい。エアシュータ３０は、この読取り部で読み取られたカプセルＩＤを制御装置１１に送信する。制御装置１１は、エアシュータ３０で読み取られたカプセルＩＤが、読取り機１５によって読み取られたカプセルＩＤと一致する場合に、店舗内在高管理端末２１に収納部材情報を送信する。不一致の場合には、制御装置１１は、店舗内在高管理端末２１に収納部材情報を送信せず、不一致であることをＰＯＳレジスタ１２の表示部に表示させる。これにより、読取り機１５でカプセルＩＤを読み取られた収納部材と異なる収納部材がエアシュータ３０にセットされた場合に、管理情報と現物情報の間に不一致が発生することを防止することができる。
【０１１７】
上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１１８】
１，１Ａ  貨幣処理システム
１０  店舗
１１  制御装置
１２  ＰＯＳレジスタ
１３  貨幣釣銭機
１３Ａ  紙幣釣銭機
１３Ｂ  硬貨釣銭機
１４，１４Ａ  識別機
２０  出納室
２１  店舗内在高管理端末
２２  金庫
３０  エアシュータ
３１  ステータス通知部
３２  収納部
４０  収納部材（カプセル）
４０ａ  スリット
４０ｍ  記憶部
１００  スーパーマーケット
１４１  筐体
１４２  投入口
１４３  投出口
１４４  搬送部
１４５  識別部
１４６  センサ
２００  警送会社
３２１  筐体
３２２  投入口
３２３  一時保留部
３２４  収納機構
３２４ａ  押し出し部材
３３１，３３２，３３３  センサ
【図１】
2012216005.tif 000003
【図２】
2012216005.tif 000004
【図３】
2012216005.tif 000005
【図４】
2012216005.tif 000006
【図５】
2012216005.tif 000007
【図６】
2012216005.tif 000008
【図７】
2012216005.tif 000009
【図８】
2012216005.tif 000010
【図９】
2012216005.tif 000011
【図１０】
2012216005.tif 000012
【図１１】
2012216005.tif 000013
【図１２】
2012216005.tif 000014
【図１３】
2012216005.tif 000015